(57)【要約】【課題】            従来知られている個人的なゴルフの練習装置として、打ちっぱなしとはせずにボールを拾いにいく煩わしさがなく、また、ボールを紐の先端に固着したとしても戻ってくるボールの危険性をなくしたというものが存在しなかったという点である。【解決手段】        適宜な長さを有する強靭な紐体の両端にゴルフボールを固定させ、かつ、前記した紐体を固定されたリング体に挿通させてあることとし、初期的に前記したリング体は前記した紐体の略中央部位に位置されることとし、前記した各ゴルフボールには中心に貫通孔が形成され、その貫通孔内に二折りした強靭な連結紐体を挿通し、二折り部分を貫通孔の開口より突出させて、そこに前記した強靭な紐体を結び付けるとともに、前記連結紐体の他端は焼結等の適宜手段で抜け止め部を形成していることとする。【選択図】          図１
2007097986.tif 000002
【特許請求の範囲】
【請求項１】
適宜な長さを有する強靭な紐体の両端にゴルフボールを固定させ、かつ、前記した紐体を固定されたリング体に挿通させてあることを特徴とするゴルフ用練習装置。
【請求項２】
初期的に前記したリング体は前記した紐体の略中央部位に位置されることを特徴とする請求項１に記載のゴルフ用練習装置。
【請求項３】
前記した各ゴルフボールには中心に貫通孔が形成され、その貫通孔内に二折りした強靭な連結紐体を挿通し、二折り部分を貫通孔の開口より突出させて、そこに前記した強靭な紐体を結び付けるとともに、前記連結紐体の他端は焼結等の適宜手段で抜け止め部を形成していることを特徴とする請求項１または請求項２に記載のゴルフ用練習装置。
【請求項４】
前記した紐体は長さの異なるものを複数本用意し、随時交換可能としてあることを特徴とする請求項１、請求項２または請求項３に記載のゴルフ用練習装置。
【請求項５】
前記したリング体は断面円形のものとしたことを特徴とする請求項１、請求項２、請求項３または請求項４に記載のゴルフ用練習装置。
【請求項６】
前記したリング体はその外周一部にアンカー部を一体的に備え、そのアンカー部を地面に突き刺し固定することを特徴とする請求項１、請求項２、請求項３、請求項４または請求項５に記載のゴルフ用練習装置。
【発明の詳細な説明】
【技術分野】
【０００１】
本発明はゴルフ用練習装置に関し、特にウッドクラブ、アイアンクラブを問わずショットを繰り返し練習するのに好適なゴルフ用練習装置に関する。
【背景技術】
【０００２】
一般的に、ゴルフの特にショットの練習は打ちっぱなしとされる練習場へ出向いて行なわれるが、この練習場ではショットするためのゴルフボールが貸し出し制となっており、一球に付き１０〜２０円程度の料金が必要となり加えて打席使用料を徴収される場合も多い。従って、ゴルフの練習に要する費用は決して安いものとはいえないのが実情である。
【０００３】
かかる点から、自宅の庭や屋上を利用して練習ができる器具も提供されており、この従来の練習器具はネットを拡げてそのネットに向けて打球するものや、一つのボールを紐の端部に固着し、そのボールを打つもの等が存在している。
【０００４】
しかしながら、この従来の個人的なゴルフ用の練習器具はネットを拡げて打球する場合は多数のボールを用意しなければ、一々打つ毎にそのボールを拾いにいく手間がかかり、非常に面倒なものとなってしまい、紐の一端にボールを固着した場合、その打ったボールは戻るにしても方向性が不安定となり、常に練習者に当たってしまう危険性を伴なったものとなっている。
【特許文献１】本願発明について、出願人は先行する技術の調査を行なったが、格別に関連すると思われる文献を発見できなかった。
【発明の開示】
【発明が解決しようとする課題】
【０００５】
本発明が解決しようとする問題点は、従来知られている個人的なゴルフの練習装置として、打ちっぱなしとはせずにボールを拾いにいく煩わしさがなく、また、ボールを紐の先端に固着したとしても戻ってくるボールの危険性をなくしたというものが存在しなかったという点である。
【課題を解決するための手段】
【０００６】
この問題点を解決するために、本発明に係るゴルフ用練習装置は適宜な長さを有する強靭な紐体の両端にゴルフボールを固定させ、かつ、前記した紐体を固定されたリング体に挿通させてあることを特徴とし、初期的に前記したリング体は前記した紐体の略中央部位に位置されることを特徴とし、前記した各ゴルフボールには中心に貫通孔が形成され、その貫通孔内に二折りした強靭な連結紐体を挿通し、二折り部分を貫通孔の開口より突出させて、そこに前記した強靭な紐体を結び付けるとともに、前記連結紐体の他端は焼結等の適宜手段で抜け止め部を形成していることを特徴としている。
【０００７】
また、本発明に係るゴルフ練習用装置は前記した紐体は長さの異なるものを複数本用意し、随時交換可能としてあることを特徴としている。
【０００８】
さらに、本発明に係るゴルフ練習用装置は前記したリング体は断面円形のものとしたことを特徴とし、前記したリング体はその外周一部にアンカー部を一体的に備え、そのアンカー部を地面に突き刺し固定することを特徴としている。
【発明の効果】
【０００９】
本発明に係るゴルフ用練習装置は上記のように構成されている。そのため、一本の強靭な紐の両端に固着された２つのゴルフボールを、ボールを拾いに行く手間を不要として交互に打つことができ、前記した紐をリング体に挿通することで、リングの先方にあるボールは打ったボールの勢いで紐に引かれ、略練習者の足元少なくともリング体の近辺にまで戻ることとなって、危険性も一切ないものとなる。
【００１０】
また、長さの異なる紐を複数用意して交換することで、ドライバー等のウッド用、アイアン用、ウェッジ用等としてクラブを変更してのショット練習も可能となり、リング体を断面円形とすることで、紐体との擦れを少なくし、摩耗による紐の損傷も防ぐことができる。
【発明を実施するための最良の形態】
【００１１】
図面に示す実施例のように構成することで実現した。
【実施例１】
【００１２】
次に、本発明の好ましい実施の一例を図面を参照して説明する。図１は本発明を実施したゴルフ用練習装置の設置状態を示す図、図２は同じくゴルフボールの断面図、図３は同じくリング体を示す正面図、図４は同じく力の伝達状態を示す図である。
【００１３】
これらの図にあって１はゴルフボールを示している。一方、図中２はナイロン等の強靭で可撓性を有する紐体を示している。この紐体２は通例１５〜２０ｍ程度の長さを有しており、その両端に前記したゴルフボール１、１が固着された構成となっている。
【００１４】
また、前記した紐体２はスタンバイ状態で、断面円形としたリング体３内に挿通されており、このリング体３の外周一部にはアンカー部４が一体に形成され、そのアンカー部４を地面Ｇに突き刺すことでリング体３は位置固定される。
【００１５】
さらに、前記したゴルフボール１、１の中心には貫通孔５が形成されている。この貫通孔５の一方開口には大きめの段凹部６が形成され、他方の開口には前記段凹部６よりも浅く、小径とした小さめの段凹部７が形成されている。
【００１６】
この貫通孔５内には前記した紐体２とは別途の強靭な例えば組紐等の連結紐体８が二折りされて挿通されており、その二折り部分８ａは小さめの段凹部７を形成した開口から外部へ突出され、結び糸９等を介して紐体２の端部に一体的に連結されている。
【００１７】
一方、連結紐体８の遊端側は大きめの段凹部６内にあって焼結や蝋等によって固められ、抜け止め１０を構成している。かかる連結紐体８の存在によって、後述するように紐体２の交換やリング体３への紐体２の挿通を可能としている。
【００１８】
初期的に一対のゴルフボール１、１はリング体３を境として略対称的な位置に配される。ここで、一方のゴルフボール１をクラブによって打つことでショットの練習がなされることとなるが、打つべきゴルフボール１はティーアップしてもマット上に置いてもあるいは自然の芝上やベアグランドであってもかまわない。必要とあれば砂場内にあってバンカーショットの練習を行なうことも可能である。そして、コンクリート敷きの屋上等、硬質な場所ではスポンジやマット、人工芝の緩衝材を敷設しておくことでゴルフボールのはね上がりがなく、より一層危険性を排除できる。
【００１９】
また、前記した紐体２は複数本の長さの異なったものを用意しておくこともできる。そして、この紐体２を交換して使用することで、ウッドやアイアンによるフルショット、ハーフショットに加え、ウェッジクラブによる柔らかなチップショットやロブショットの練習にも対応することができることとしている。
【００２０】
ここで、図１のようにセットされた状態で一方のゴルフボール１を打つと、その打たれたゴルフボール１は大概的に他方のゴルフボール１方向へ飛んで行く。この際、打たれたゴルフボール１の勢いによって紐体２は引かれて行き、他方のゴルフボール１を練習者の位置方向へ引き寄せる。これは、紐体２がリング体３内に挿通されているため、紐体２自体の浮き上がりを抑え、そのリング体３が支点となって飛んで行くゴルフボールの附勢力が紐体２を介し、他のゴルフボール１に伝達されることによる（図４参照）。
【００２１】
即ち、リング体３の存在がなければ紐体２の両端にゴルフボール１、１を固着して、一方を打ったとしても、打ったゴルフボール１は通常の飛距離を得て、紐体２でうながされた他方のゴルフボール１も、その打ったゴルフボール１と同様の方向へ引っ張っていってしまうこととなる。
【００２２】
かかる作用によって他方にあったゴルフボール１が練習者の足元もしくはリング体３の近辺まで引かれてくることとなり、二つのゴルフボール１、１を交互に繰り返しショットすることが可能となり、ボールを拾いに行く、あるいは散乱したボールを集めるといった煩わしい手間は一切不要となり、ゴルフのショット練習を場所や時間にさほどの制約を受けることなく実行することが可能となり、一般的な練習場において導入することも勿論可能となり、ショット毎にリング体３の方向性を変換させてやれば初期状態と同一状況を得ることができる。
【００２３】
さらに、前記した連結紐体８は結び糸９を外すと、抜け止め１０側から引き抜くことも可能となり、複数のゴルフボール１、１‥を用意し、硬度の異なるゴルフボール１を交換して用い、打感等を確認することも可能となる。
【産業上の利用可能性】
【００２４】
本実施例に係るゴルフ用練習装置は上記のように構成されている。この実施例ではリング体３、紐体２を一つづつの設定としてあるが、例えば紐体２の長さを異ならしめた複数のセットを用意し、各々複数個並設したリング体３、３に挿通させると、ドライバーを打った後、隣にあるセットのゴルフボール１をアイアンで打つ等のコースを想定しての練習もできる。これはリング体３を複数個、一つのアンカー体４に形成した器具を作成して実行することもできることとなる。さらに、リング体３を形成する部分に糸巻き等を使用すると紐体２の動作をより円滑なものとすることもできる。
【図面の簡単な説明】
【００２５】
【図１】本発明を実施したゴルフ用練習装置の設置状態を示す図である。
【図２】ゴルフボールの断面図である。
【図３】リング体を示す正面図である。
【図４】力の伝達状態を示す図である。
【符号の説明】
【００２６】
１    ゴルフボール
２    紐体
３    リング体
４    アンカー体
５    貫通孔
６    段凹部
７    段凹部
８    連結紐体
９    結び糸
１０  抜け止め
Ｇ    地面
【図１】
2007097986.tif 000003
【図２】
2007097986.tif 000004
【図３】
2007097986.tif 000005
【図４】
2007097986.tif 000006